(57)【要約】【課題】マスクにアイシールドを取り付けたシールド付きマスクにおいて、着用状態でアイシールドと顔面との間の空間で、マスクから漏れ出た呼気の換気が容易に行われ、かつ簡便に製造できるようにする。【解決手段】口及び鼻を覆うマスク１０の上部に、透明プラスチックで形成されたアイシールド２０が取り付けられているシールド付きマスク１であって、マスク１０を平面Ｓに載置した場合に、アイシールド２０の幅方向中央部が、下端２０ａから上端２０ｂにかけて平面Ｓから漸次浮き上がる。【選択図】図１Ｂ
2016123692.tif 000002
【特許請求の範囲】
【請求項１】
口及び鼻を覆うマスクの上部に、透明プラスチックで形成されたアイシールドが取り付けられているシールド付きマスクであって、
マスクを平面に載置した場合に、アイシールドの幅方向中央部が、下端から上端にかけて漸次浮き上がるシールド付きマスク。
【請求項２】
マスクを平面に扁平に載置した場合に、アイシールドの幅方向中央部の上端と前記平面との距離が５０〜７０ｍｍである請求項１記載のシールド付きマスク。
【請求項３】
アイシールドが平板状の透明フィルムから形成されている請求項１又は２記載のシールド付きマスク。
【請求項４】
アイシールドを幅方向の中心線で切断してマスクを平面に扁平に載置した場合に、その切断線とマスクの幅方向の中心線とのなす角度が８〜１８°である請求項１〜３のいずれかい記載のシールド付きマスク。
【請求項５】
透明フィルムの厚みが０．１〜０．５ｍｍである請求項３又は４記載のシールド付きマスク。
【請求項６】
アイシールドの下辺の幅方向中央部に切欠きを有する請求項１〜５のいずれかに記載のシールド付きマスク。
【請求項７】
マスクとアイシールドが、紫外線硬化樹脂層を介して接合している請求項１〜６のいずれかに記載のシールド付きマスク。
【発明の詳細な説明】
【技術分野】
【０００１】
本発明は、顔面への飛来物から顔面を保護しつつ必要な視界を確保するシールド付きマスクに関する。
【背景技術】
【０００２】
従来、外科手術等に用いられているシールド付きマスクとして、透明なプラスチックフィルムをアイシールドとし、それを口及び鼻を覆うマスクに取り付けたものが知られている（特許文献１）。
【０００３】
このようなシールド付きマスクにおいて、着用者の顔の輪郭や眼鏡の着用の有無にかかわらず、アイシールドにフィット感を得られるようにするため、アイシールドに結び紐を取り付け、シールド付きマスクの着用時に後頭部で結び紐を結ぶ位置によってアイシールドの上部が顔面から離れる程度を調整することが提案されている（特許文献２）。
【先行技術文献】
【特許文献】
【０００４】
【特許文献１】特許２９３９６２７号公報
【特許文献２】特開平７−１７８１１７号公報
【発明の概要】
【発明が解決しようとする課題】
【０００５】
従来のシールド付きマスクは、着用時にアイシールドの上部が顔面から離れる程度を、結び紐を後頭部で結ぶ位置によって調整できるようにしたものであっても、シールド付きマスクを着用した状態では、アイシールドの上部が顔面に近づくようにアイシールドが撓む場合や、また、着用時のマスクの位置によってアイシールドの顔面に対する角度が変わることにより、アイシールドが顔面に近づきすぎる場合がある。これらの場合には、アイシールドと顔面との間でマスクから漏れ出る呼気の排気が十分に行われず、アイシールドが曇りやすい。
【０００６】
さらに、特許文献２に記載のシールド付きマスクでは、結び紐を、アイシールドの端部に設けた穴に通さなくてはならず、シールド付きマスクの製造に手間が掛かるという問題もあった。
【０００７】
そこで、本発明の課題は、マスクにアイシールドを取り付けたシールド付きマスクに関し、着用状態ではアイシールドと顔面との間の空間で、マスクから漏れ出た呼気の換気が容易に行われ、かつ簡便に製造できるようにすることにある。
【課題を解決するための手段】
【０００８】
本発明者は、アイシールドをマスクに取り付けたシールド付きマスクにおいて、着用時にアイシールドがマスク側の下端から額側の上端にかけて漸次顔面から離れるようにすると、アイシールドと顔面との間の空間で換気が行われやすいことを見出し、本発明を想到した。
【０００９】
即ち、本発明は、口及び鼻を覆うマスクの上部に、透明プラスチックで形成されたアイシールドが取り付けられているシールド付きマスクであって、
マスクを平面に載置した場合に、アイシールドの幅方向中央部が、下端から上端にかけて漸次浮き上がるシールド付きマスクを提供する。
【発明の効果】
【００１０】
本発明のシールド付きマスクによれば、マスクを顔面に着用した状態で、アイシールドがマスク側の下端から額側の上端にかけて漸次顔面から離れるように浮き上がるので、アイシールドと顔面の間の空間にマスクから漏れ出た呼気が容易に抜けやすく、呼気によるアイシールドの曇りを抑えることができる。
【００１１】
また、本発明のシールド付きマスクは、マスクを着用するだけで、アイシールドが自ずと上述のように額側で浮き上がるので、シールド付きマスクの着用が容易となる。
【００１２】
さらに、シールド付きマスクは、製造工程中に、特定の穴に簡結び紐を通すという煩雑な作業が無く、簡便に製造することができる。
【図面の簡単な説明】
【００１３】
【図１Ａ】図１Ａは、シールド付きマスクの斜視図である。
【図１Ｂ】図１Ｂは、シールド付きマスクの斜視図である。
【図２】図２は、顔面にシールド付きマスクを着用した頭部の側面図である。
【図３】図３は、顔面にシールド付きマスクを着用した頭部の側面図である。
【図４】図４は、アイシールドを幅方向の中央線で切断した場合の説明図である。
【図５Ａ】図５Ａは、アイシールドのマスクへの取り付けに使用する方アイシールド取り付け装置の斜視図である。
【図５Ｂ】図５Ｂは、アイシールドのマスクへの取り付け方法の説明図である。
【図５Ｃ】図５Ｃは、アイシールドのマスクへの取り付け方法の説明図である。
【図５Ｄ】図５Ｄは、アイシールドのマスクへの取り付け方法の説明図である。
【図５Ｅ】図５Ｅは、アイシールドのマスクへの取り付け方法の説明図である。
【図６】図６は、モスアイ構造の平面図である。
【発明を実施するための形態】
【００１４】
以下、本発明を、図面を参照しつつ詳細に説明する。なお、各図中、同一符号は同一又は同等の構成要素を表している。
＜全体構成＞
図１Ａは、本発明の一実施例のシールド付きマスク１を平坦面に載置し、マスク側から見た斜視図であり、図１Ｂは、それを側方から見た斜視図であり、図２は、シールド付きマスクを顔面に着用した頭部の側面図である。
【００１５】
このシールド付きマスク１は、口及び鼻を覆うマスク１０の上部に透明プラスチックで形成されたアイシールド２０を取り付け、また、マスク１０の側縁部には一対のテープ状の紐１１を接合したものであり、左右対象に形成されている。
【００１６】
このシールド付きマスク１を顔に着用する場合には、図２に示すように、紐１１を結んでマスク１０を顔面に保持させる。
【００１７】
＜マスク＞
マスク１０としては、医療用のマスク（サージカルマスク）として使用されているものを使用することができ、例えば、通気性を有するが細菌の侵入を防止する多層構造の不織布を使用することができる。マスク１０には、必要に応じて図２に示すように折りひだ１３を形成し、着用時にマスク１０が顔面の立体形状に沿うようにしても良く、防眩用に、マスク１０の上部に濃色領域１４を設けてもよい。また、図３に示すシールド付きマスク１ｂのように彎曲形状に成形したマスク１０としてもよい。
【００１８】
マスク１０の形成材料としては、ポリプロピレン、ポリエチレン等の化学繊維で構成される不織布が好ましい。
【００１９】
また、シールド付きマスク１を顔面に保持させるために、紐１１に代えてゴム紐を使用しても良く、図３に示すシールド付きマスク１ｂのようにゴム紐１２をループ状にし、耳にかけるようにしてもよい。
【００２０】
紐による保持は一般にひも式、タイオン式と呼称されるものであり、ゴム紐で耳にかけるものはゴム式、耳かけ式と呼称されるものになる。
【００２１】
＜アイシールド＞
【００２２】
本実施例において、アイシールド２０は、透明な熱可塑性又は熱硬化性プラスチックで平板状に形成されたフィルムから形成される。このようなフィルムを形成する樹脂としては、例えば、ポリエチレンテレフタレート（ＰＥＴ）等のポリエステル類、ポリスチレン、シクロオレフィン、ポリエチレン、又はその共重合体等のポリオレフィン類、ポリカーボネート、ポリメチルメタクリレート、ポリエチルアクリレート、又はその共重合体等のポリアクリル酸エステル類、ポリスルホン、ポリ塩化ビニリデン、ポリフッ化ビニリデン、酢酸セルロース等のセルロース誘導体などをあげることができる。
【００２３】
アイシールド２０の表面には反射防止層を設ける等の反射防止処理が施されていることが好ましい。反射防止層としては、例えば、表面の凹部又は凸部からなる複数の構造体が可視光の波長以下のピッチで２次元的に複数配設された、所謂モスアイ構造を有するものを使用することができる。モスアイ構造を有する反射防止層は、アイシールド２０の表裏両面に設けてもよい。
【００２４】
アイシールド２０の顔面側となる表面には、防曇処理を施すことが好ましい。これにより、シールド付きマスク１の着用者の呼気に含まれる水分の凝縮によってアイシールド２０が曇ることを防止することができる。モスアイ構造を有する反射防止層を、親水性官能基を有する紫外線硬化樹脂で形成することにより防曇処理としてもよい。
【００２５】
アイシールド２０は、着用者の視界を遮ることなく、着用者の目に液体や飛散物が飛来することを防ぐため、マスク１０の幅に対して十分に大きな幅を有し、着用者の目の周囲を広く覆える大きさを有している。また、アイシールド２０は、下辺の幅方向中央部にＵ字形の切欠き２１を有している。シールド付きマスク１を顔面に着用した場合に、この切欠き２１が広がり、アイシールド２０が変形しやすくなるので、後述するように、容易にアイシールド２０の下部を顔面に沿わせ、かつアイシールド２０の上部は顔面から浮き上がるようにアイシールド２０を撓ませることができる。また、切欠き２１が形成されていることにより、シールド付きマスク１の着用時に、アイシールド２０の下部を顔の立体形状に沿わせ、かつ、鼻の周囲でアイシールド２０にしわがよることを防止することができる。
【００２６】
アイシールド２０は、接合領域２２ａ、２２ｂでマスク１０と固着している。
接合領域２２ａ、２２ｂは、アイシールド２０シールド付きマスク１の左右両端部であって、着用時に鼻の側方となる部分に設けられている。接合領域２２ａ、２２ｂにおけるアイシール２０とマスク１０との接合方法としては、超音波溶着、熱接着、鋲等の機械的接合などをあげることができる。接合領域２２ａ、２２ｂの大きさは、アイシールド２０を固定できればよく、例えば、幅３〜１５ｍｍ、長さ５〜３０ｍｍとすることができる。これにより、紐１１でアイシールド２０を顔面に押さえつけることが不要となり、シールド付きマスク１を簡便に着脱することができる。
【００２７】
＜マスクとアイシールドの取り付け角度＞
このシールド付きマスク１においては、図１Ｂに示すように、マスク１０を平面Ｓに扁平に載置した場合に、アイシールド２０の幅方向中央部が、下端から上端にかけて平面Ｓから漸次浮き上がるように取り付けられていることを特徴としている。ここで、アイシールド２０の幅方向中央部の上端２０ｂと前記平面Ｓとの距離Ｌ１は、好ましくは５０〜７０ｍｍである。
【００２８】
このようなアイシールド２０の浮き上がりを得るため、アイシールド２０が平板状フィルムから形成されている場合、図４に示すように、アイシールド２０を幅方向の中央線で切断してアイシールド２０を平面に扁平に載置したときに、その切断線Ｌ２と、マスク１０の幅方向の中心線Ｌ３とがなす角度θが８〜１８°となることが好ましく、１０〜１６°がより好ましく、１２〜１４°がさらに好ましい。言い換えると、角度θがこのような数値範囲となるように平板状フィルムからなるアイシールド２０を撓ませてマスク１０に取り付けることが好ましい。
【００２９】
なお、前述の角度θは、図４に破線で示すように、アイシールド２０が左右両端の２箇所の接合領域２２ａ、２２ｂでマスク１０と接合されている場合に、片方の接合領域２２ｂを外したときの、アイシールド２０の幅方向の中心線Ｌ２’とマスク１０の幅方向の中心線Ｌ３とのなす角度ともなる。
【００３０】
このように角度θでアイシールド２０が撓んでマスク１０に取り付けられていることにより、このシールド付きマスク１を顔面に着用すると、図２に示すように、アイシールド２０の下端２０ａは顔の曲面に沿って湾曲しているが、アイシールド２０の上端２０ｂは、着用者の額から離れる。よって、アイシールド２０と顔面の間の空間３０にマスク１０から呼気が漏れ出ても、その呼気は空間３０から容易に抜け、呼気によってアイシールド２０が曇ることを抑えることができる。
【００３１】
＜アイシールドのマスクへの取り付け方法＞
図４に示したように、アイシールド２０をマスク１０に撓ませて取り付けるため、例えば、図５Ａに示すアイシールド取り付け装置３０を使用することができる。
【００３２】
このアイシールド取り付け装置３０では、基台３１に、一対の可動駒３２が支点３３を回転中心として揺動可能に設けられている。この揺動は、図示しない駆動源及びエアシリンダーにより行われる。符号３４、３５は、可動駒３２の揺動角度を規制するストッパーである。
【００３３】
可動駒３２には、その表面に、アイシールド２０を吸引固定できるようにバキューム孔３６が設けられている。また、可動駒３２の表面には、アイシールド２０をマスク１０に溶着で接合するための溶着受部３７が形成されている。また、支点３３を挟んで可動駒３２の反対側には、位置決め用駒３８が設けられている。この位置決め用駒３８の上面と可動駒３２の上面は、面一に揃っている。また、位置決め用駒３８の幅は、ほぼマスク１０の幅となっている。
【００３４】
このアイシールド取り付け装置３０を使用してマスク１０にアイシールド２０を取り付ける方法としては、まず、図５Ｂに示すように、アイシールド２０を一対の可動駒３２の上に載置し、バキューム孔３６からアイシールド２０を吸引することにより、アイシールド２０を一対の可動駒３２上に固定する。
【００３５】
次に、図５Ｃに示すように、支点３３を中心にして可動駒３２を回転させる。この回転は、可動駒３２がストッパー３４に当接するまで行う。このとき、アイシールド２０は、バキューム孔３６で可動駒３２に固定されているので、アイシールド２０の上端２０ｂ側が基台３１側に撓む。この撓み状態が確実に保持されるように、基台３１に設けたバキューム孔３９でアイシールド２０を吸引してもよい。
【００３６】
次に、図５Ｄに示すように、アイシールド２０と位置決め用駒３８に架かるように、マスク１０を載置する。このとき、マスク１０の載置位置を規定するため、位置決め用駒３８にマスク１０の載置位置を案内する目印などを設けても良い。次に、図５Ｅに示すように、溶着受部３７上で、アイシールド２０とマスク１０が接合領域２２ａ、２２ｂで溶着されるように、超音波溶着又は熱溶着を行う。この場合、接合領域２２ａ、２２ｂの大きさは、撓みを有するアイシールド２０をマスク１０に固定するのに十分な面積とする。
こうして、本発明のシールド付きマスク１を製造することができる。
【００３７】
なお、このアイシールド取り付け装置３０でアイシールド２０をマスク１０に接合する場合、超音波溶着又は熱溶着を行うシールヘッドは、マスク１０側から当てることが好ましいが、本発明において、超音波溶着又は熱溶着に使用するシールヘッドは、アイシールド側から当てても良い。
【００３８】
＜変形態様＞
本発明のシールド付きマスクは種々の態様をとることができる。
例えば、着用者がシールド付きマスク１を着用して所定の作業を行った後、マスク１０は着用していたいが、アイシールドは外したい場合がある。具体的には、液体の飛散が懸念される手術中では、シールド付きマスクを着用するが、手術後に液体の飛散の虞がなくなったときには、アイシールド２０の表面反射により視界が妨げられる場合があり、また、アイシールド２０があることによって作業性が低下する場合もある。
【００３９】
一方、超音波溶着又は熱溶着によりアイシールド２０とマスク１０を溶着した場合、それらは強固に接合されるため、単にアイシールド２０を引き剥がそうとしても、それらの接着界面では剥がれず、接合領域２２ａ、２２ｂの近傍でマスク１０が破損し、結局は、新たにアイシールドの無い通常のマスクを使用することを余儀なくされる。
【００４０】
そこで、本発明においては、着用者がシールド付きマスク１からアイシールド２０を取り外したい場合に、マスク１０を破損することなくアイシールド２０を引き剥がせるように、アイシールド２０とマスク１０との接合界面に紫外線硬化樹脂を介在させることが好ましい。
【００４１】
そのため、アイシールド２０の接合領域２２ａ、２２ｂとなる部分に、予め、紫外線硬化性樹脂を塗工し、それに紫外性を照射して紫外線硬化樹脂層を形成し、その後、アイシールド２０とマスク１０とを超音波溶着又は熱溶着で接合する。あるいは、アイシールド２０のマスク１０との接合面側の全面に紫外線硬化性樹脂を塗工し、それを硬化させて紫外線硬化樹脂層を形成し、その後、アイシールド２０とマスク１０とを超音波溶着又は熱溶着で接合する。これにより、アイシールド２０とマスク１０を超音波溶着又は熱溶着で接合した後に、アイシールド２０を手でマスク１０から引き剥がすことが可能となる。
【００４２】
この場合、紫外線硬化樹脂層の厚さは、好ましくは０．５〜３０μｍ、より好ましくは１〜２０μｍ、さらに好ましくは２〜１０μｍである。紫外線硬化樹脂層の厚さが薄すぎると、超音波溶着又は熱溶着時に、アイシールド２０を構成する樹脂がマスク１０を構成する不織布内に浸透していくことを抑制する効果が少なく、アイシールド２０とマスク１０との溶着強度を十分に制御することができない。反対に紫外線硬化樹脂層の厚さが厚すぎると、アイシールド２０とマスク１０に必要な溶着強度を確保することができない。
【００４３】
アイシールド２０の全面に予め紫外線硬化性樹脂を塗工する場合、親水性の硬化膜が形成されるように親水性官能基を有する紫外性硬化性樹脂を塗工することが好ましい。これにより、アイシールドに防曇性を付与することができる。
【００４４】
その他、本発明のシールド付きマスクにおいてアイシールド２０とマスク１０との接合領域は、シールド付きマスクの左右両端の２箇所に限定されない。
【００４５】
また、アイシールド２０を形成する透明プラスチックとしては、平板状に成形されたプラスチックフィルムに限られない。アイシールド２０として、マスク１０を平面に載置した場合に、該アイシールド２０の幅方向中央部が下端から上端にかけて該平面から漸次浮き上がるような湾曲面をもつ成型品を使用してもよい。但し、経済性の点からは、アイシールド２０を平板状のプラスチックフィルムから形成することが好ましい。
【００４６】
本発明のアイシールド付きマスクは、口及び鼻を覆うマスクと、目を保護するアイシールドの双方が必要とされる種々の用途で有用である。例えば、外科手術等を行う医療現場、食肉加工、食品製造ライン等で使用することができる。
【実施例】
【００４７】
以下、実施例により本発明を具体的に説明する。
実施例１、２及び比較例１〜３
（１）シールド付きマスクの作製
表１に示すように、実施例１，２及び比較例３としてＰＥＴ製の透明基材（厚さ１２５μｍ）の両面又は片面に、アクリル樹脂からなるモスアイ構造を形成した平板状フィルム（厚さ５μｍ）を作製した。この場合、モスアイ構造は、図６に示すように、個々の構造体４０の形状が、底面が楕円形の釣鐘型であり、それらが６方格子状に配列しているものを（構造体４０の高さＨ1＝２５０ｎｍ、トラック内の構造体ピッチＰ1＝２３０ｎｍ、トラック間の構造体ピッチＰ2＝１５３ｎｍ、トラックピッチＴp＝１５３ｎｍ）を、ＷＯ２０１２／１３３９４３号公報に記載の方法により製造した。
また、実施例３及び比較例１，２として界面活性剤を塗布したＰＥＴ製の透明基材を準備した。
【００４８】
一方、マスクとして、市販のポリプロピレン（ＰＰ）樹脂からなる不織布製のものを準備した。
【００４９】
平板状フィルムをアイマスク形に打ち抜き、図５Ａに示したアイシールド取り付け装置３０を使用し、アイシールドを撓ませた状態でアイシールドとマスクを、アイシールドの左右両側の下端部の２箇所で超音波溶着した（溶着面積６ｍｍ×１２ｍｍ）。
【００５０】
一方、比較例では、アイシールドを撓ませずに、アイシールドとマスクを超音波溶着した。
【００５１】
また、この超音波溶着に先立ち、実施例１、２では、アイシールドのマスクとの接合領域に、予め紫外線硬化樹脂層（厚さ５μｍ）を形成した。
【００５２】
（評価）
（i）図４に示すように、このアイシールドを幅方向の中央線で切断し、その切断線がマスクの幅方向の中央線となす角度θを測定した。
【００５３】
（ii）防曇性を評価するために、作製したシールド付きマスクを、吐息がアイシールド側に漏れるよう、鼻周囲に密着しないように装着し、次のように３段階で評価した。
Ａ：視界を妨げる曇りが発生しない。
Ｂ：呼吸に同期した曇りが発生するが、すぐに曇りが晴れる。
Ｃ：呼吸に同期した曇りが発生し、曇りが晴れない。
【００５４】
（iii）アイシールドとマスクとの剥がれ易さを評価するため、実施例、比較例それぞれの場合のアイシールドとマスクの溶着強度をプッシュプルゲージにより計測した。
また、アイシールドをマスクから剥がした後の外観を観察した。
これらの結果を表１に示す。
【００５５】
【表１】
2016123692.tif 000003
【００５６】
表１から、図４に示した角度θが８〜１８°となるようにアイシールドを撓ませてアイシールドとマスクを接合したものは、シールド付きマスクの着用時にアイシールドの下端側から上端側にかけて漸次アイシールドが顔面から離れ、防曇性に優れることがわかる。
【符号の説明】
【００５７】
１、１ｂ  シールド付きマスク
２  空間
１０  マスク
１１  紐
１２  ゴム紐
１３  折りひだ
１４  濃色領域
２０  アイシールド
２０ａ  アイシールドの下端
２０ｂ  アイシールドの上端
２１  切欠き
２２ａ、２２ｂ    接合領域
３０  アイシールド取り付け装置
３１  基台
３２  可動駒
３３  支点
３４、３５  ストッパー
３６  バキューム孔
３７  溶着受部
３８  位置決め用駒
３９  バキューム孔
４０  構造体
Ｌ１  平面に際したシールド付きマスクにおけるアイシールドの上端と平面との距離
Ｌ２  アイシールドを、その幅方向の中心線で切断した場合の切断線
Ｌ３  マスクの幅方向の中心線
Ｓ  平面
θ    切断線Ｌ２と中心線Ｌ３とのなす角度
【図１Ａ】
2016123692.tif 000004
【図１Ｂ】
2016123692.tif 000005
【図２】
2016123692.tif 000006
【図３】
2016123692.tif 000007
【図４】
2016123692.tif 000008
【図５Ａ】
2016123692.tif 000009
【図５Ｂ】
2016123692.tif 000010
【図５Ｃ】
2016123692.tif 000011
【図５Ｄ】
2016123692.tif 000012
【図５Ｅ】
2016123692.tif 000013
【図６】
2016123692.tif 000014